(57)【要約】【課題】非接触ＩＣカードの取扱性が良好で、かつ個人情報が見られる可能性が少ない情報読取書込装置を提供する。【解決手段】筐体１の内部に設けられたアンテナ３０１と、このアンテナ３０１に近接する筐体面１０１に設けられた媒体情報読取書込面１５０とを備えた媒体情報読取書込装置において、媒体情報読取書込面１５０を湾曲面で形成する。【選択図】図１
2005285057.tif 000002
【特許請求の範囲】
【請求項１】
筐体の内部に設けられたアンテナと、このアンテナに近接する筐体面に設けられた媒体情報読取書込面とを備えた媒体情報読取書込装置において、
前記媒体情報読取書込面は、湾曲面で形成されていることを特徴とする媒体情報読取書込装置。
【請求項２】
アンテナと媒体情報読取書込面を備えた筐体本体と、この筐体本体を支持する支持部とを備え、前記媒体情報読取書込面に記録媒体を提示した状態で、前記アンテナを介して媒体情報の送受信を行う媒体情報読取書込装置において、
前記筐体本体は、前後方向および左右方向に沿って湾曲した湾曲面を備え、
前記湾曲面は、前記媒体情報読取書込面を備えると共に、前記媒体情報読取書込面に前記記録媒体を載置した状態で、前記媒体情報読取書込面と前記記録媒体との間に隙間を形成することを特徴とする媒体情報読取書込装置。
【請求項３】
アンテナと媒体情報読取書込面を備えた筐体本体と、この筐体本体を支持する支持部とを備え、前記媒体情報読取書込面に記録媒体を提示した状態で、前記アンテナを介して媒体情報の送受信を行う媒体情報読取書込装置において、
前記筐体本体は、前後方向および左右方向に沿って湾曲した湾曲面を備え、
前記湾曲面は、前記媒体情報を表示する表示部と、動作状態と前記記録媒体の提示位置を示す複数のガイダンス部とを備え、
前記複数のガイダンス部は、その内側に前記記録媒体を縦置き状態で提示する第１領域と、前記記録媒体を横置き状態で提示する第２領域を形成し、
前記媒体情報読取書込面は、前記第１領域と前記第２領域とが互いに重なる部分に形成されるとともに、前記湾曲面に配置され、
前記媒体情報読取書込面に前記記録媒体を載置した状態で、前記記録媒体と前記媒体情報読取書込面との間に隙間を形成することを特徴とする媒体情報読取書込装置。
【請求項４】
請求項１から請求項３に記載の媒体情報読取書込装置において、
前記媒体情報読取書込面の中央にラベル部が配置されていることを特徴とする媒体情報読取／書込装置。
【請求項５】
請求項３に記載の媒体情報読取書込装置において、
前記複数のガイダンス部は、４つのガイダンス部材で構成され、
前記４つのガイダンス部材は、透光性素材で形成されていることを特徴とする媒体情報読取書込装置。
【請求項６】
請求項１から請求項３に記載の媒体情報読取書込装置において、
前記記録媒体は、非接触ＩＣカードであることを特徴とする媒体情報読取書込装置。
【発明の詳細な説明】
【技術分野】
【０００１】
本発明は、媒体情報読取書込装置に関し、特に、記録媒体として非接触ＩＣカードを利用した媒体情報読取書込装置に関するものである。
【背景技術】
【０００２】
近年、電子化の発展に伴い、非接触ＩＣカードを利用したサービスやシステムが注目を浴びている。これらのサービスやシステムは、例えば、電子マネーを用いたクレジット決済システムや会社や建物等の入退室管理システム、駅の自動改札等にまで普及されている。
【０００３】
非接触ＩＣカードを利用したサービスやシステムは、媒体情報読取書込装置、例えば、ＩＣカードリーダライタに非接触ＩＣカードをかざしたり載置したりすることにより、媒体情報の送受信を行い、任意の処理を行うようになっている。このような処理を行う従来のＩＣカードリーダライタとしては、例えば、平面状に配置されたアンテナを有する本体と、この本体を回転可能に支持する支持体とで構成され、本体に非接触ＩＣカードをかざすことで、データの送受信を行うＩＣカードリーダライタ（特許文献１参照）や、ＰＯＳ端末と一体に形成されたＩＣカードリーダライタに、非接触ＩＣカードをかざしたり載置したりすることにより、クレジット決済を行うデータ処理装置（特許文献２参照）が知られている。
【０００４】
【特許文献１】特開２００２−１３３３７８号公報
【０００５】
【特許文献２】特開２００４−５２０７号公報
【発明の開示】
【発明が解決しようとする課題】
【０００６】
前記特許文献１に開示されているＩＣカードリーダライタは、非接触ＩＣカードをかざす位置や角度を自由に変えることができるという利点を有し、非接触ＩＣカードをかざして使用する場合には有効であるものの、非接触ＩＣカードを本体に載置した場合の取扱性についての配慮がなされていない。
また、前記特許文献２に開示されているＩＣカードリーダライタは、ＰＯＳ端末に対して垂直に設けられているため、非接触ＩＣカードを立てた状態でかざしたり載置しなければならない。このため、非接触ＩＣカードをかざしたり載置した場合には、周囲の人々に個人情報が見られてしまう可能性がある。
そこで、本発明の目的は、記録媒体の取扱性が良好で、かつ個人情報が見られる可能性の少ない媒体情報読取書込装置を提供することにある。
【課題を解決するための手段】
【０００７】
前記目的を達成するために、本発明は、筐体の内部に設けられたアンテナと、このアンテナに近接する筐体面に設けられた媒体情報読取書込面とを備えた媒体情報読取書込装置において、媒体情報読取書込面を湾曲面で形成する。
また、前記目的を達成するために、本発明は、アンテナと媒体情報読取書込面を備えた筐体本体と、この筐体本体を支持する支持部とを備え、媒体情報読取書込面に記録媒体を提示した状態で、アンテナを介して媒体情報の送受信を行う媒体情報読取書込装置において、筐体本体は、前後方向および左右方向に沿って湾曲した湾曲面を備え、湾曲面は、媒体情報読取書込面を備えると共に、媒体情報読取書込面に記録媒体を載置した状態で、媒体情報読取書込面と記録媒体との間に隙間を形成する。
【０００８】
さらに、上記目的を達成するために、本発明は、アンテナと媒体情報読取書込面を備えた筐体本体と、この筐体本体を支持する支持部とを備え、媒体情報読取書込面に記録媒体を提示した状態で、アンテナを介して媒体情報の送受信を行う媒体情報読取書込装置において、筐体本体は、前後方向および左右方向に沿って湾曲した湾曲面を備え、湾曲面は、媒体情報を表示する表示部と、動作状態と記録媒体の提示位置を示す複数のガイダンス部とを備え、複数のガイダンス部は、その内側に記録媒体を縦置き状態で提示する第１領域と、記録媒体を横置き状態で提示する第２領域を形成し、媒体情報読取書込面は、第１領域と第２領域とが互いに重なる部分に形成されるとともに、湾曲面に配置され、媒体情報読取書込面に記録媒体を載置した状態で、記録媒体と媒体情報読取書込面との間に隙間を形成する。
【発明の効果】
【０００９】
本発明によれば、媒体情報読取書込面を湾曲面で形成することで、記録媒体と媒体情報読取書込面との間に隙間を形成することができるので、記録媒体の取扱性を良好にすることができる。また、記録媒体を寝かせた状態で、媒体情報読取書込面に掲示することができるので、個人情報が見られる可能性の少ない媒体情報読取書込装置を提供することができる。
【発明を実施するための最良の形態】
【００１０】
以下、本発明に係る媒体情報読取書込装置の実施形態を、記録媒体として非接触ＩＣカード、媒体情報読取書込装置としてＩＣカードリーダライタを例に、図面を用いて説明する。ここで、同一の部材や部位は同符号をもって示し、重複した説明を省略する。
【００１１】
（第１の実施形態）
図１から図１０は、本発明によるＩＣカードリーダライタの第１の実施形態を示す図である。図１はＩＣカードリーダライタの外観斜視図、図２はＩＣカードリーダライタの外観六面図、図３はＩＣカードリーダライタの内部構成図、図４はＩＣカードリーダライタのシステム構成図、図５はＩＣカードリーダライタの設置状態を示す図、図６から図１０はＩＣカードのかざし方や置き方を示す図である。
先ず、図１および図２を参照して、第１の実施形態に係るＩＣカードリーダライタの外観構造について説明する。図１および図２において、図１（ａ）は正面側から見た斜視図、図１（ｂ）は背面側からみた斜視図であり、図２（ａ）は左側面図、図２（ｂ）は正面図、図２（ｃ）は右側面図、図２（ｄ）は底面図、図２（ｅ）は平面図、図２（ｆ）は底面図である。
【００１２】
符号１で総括的に示すＩＣカードリーダライタは、筐体本体（以下、リーダライタ本体という）１００と、このリーダライタ本体１００を支持する支持部２００とを備え、このリーダライタ本体１００と支持部２００により、筐体が構成されている。
リーダライタ本体１００は、前後方向Ｘ（長手方向）および左右方向Ｙ（短手方向）に湾曲させた外観構造を備えるとともに、リーダライタ本体１００の上面１０１に湾曲面が形成され、リーダライタ本体１００の上面１０１に球面状の凹部１０２が湾曲面の一部分として形成されている。また、リーダライタ本体１００の上面１０１には、ラベル部１０３とガイダンス部１０４、表示部１０５が設けられている。
【００１３】
ガイダンス部１０４は、リーダライタ本体１００の上面１０１に形成された凹部１０２の一部を取り囲むように配置された４つのガイダンス部材１０４ａ、１０４ｂ、１０４ｃ、１０４ｄで構成され、この４つのガイダンス部材１０４ａ、１０４ｂ、１０４ｃ、１０４ｄで囲まれた凹部１０２の中央にラベル部１０３が配置されている。このラベル部１０３は、リーダライタ本体１００にＩＣカードをかざしたり、載置したりする場合の中心位置を示すようになっている。
【００１４】
４つのガイダンス部材１０４ａ、１０４ｂ、１０４ｃ、１０４ｄは、透光性素材で形成されており、ＩＣカードリーダライタ１に内蔵されたＬＥＤ（図３参照）の発光状態により、例えば、待機状態や使用可能状態、エラー状態など、ＩＣカードリーダライタ１の動作状態を示すようになっている。加えて、４つのガイダンス部材１０４ａ、１０４ｂ、１０４ｃ、１０４ｄは、ＩＣカードリーダライタ１に非接触ＩＣカードをかざしたり、載置する際の目印としても機能するようになっている。具体的には、図１で示すように、４つのガイダンス部材１０４ａ、１０４ｂ、１０４ｃ、１０４ｄの一辺に沿って前後方向Ｘ（長手方向）に延在した第１領域１３０と、４つのガイダンス部材１０４ａ、１０４ｂ、１０４ｃ、１０４ｄの一辺に沿って左右方向Ｙ（短手方向）に延在した第２領域１４０が設けられ、この第１領域１３０と第２領域１４０とが互いに重なった部分に媒体情報読取書込面１５０が設けられる。この媒体情報読取書込面１５０は、リーダライタ本体１００の上面１０１の湾曲面の一部分（凹部１０２）に設けられている。そして、この第１領域１３０あるいは第２領域１４０を目印として、媒体情報読取書込面１５０非接触ＩＣカードをかざしたり、載置することにより、非接触ＩＣカードから情報を読み取ったり、非接触ＩＣカードに情報を書き込む（記録する）ことができるようになっている。
【００１５】
このような構成とすることにより、非接触ＩＣカードをかざす位置あるいは非接触ＩＣカードを載置する位置の視認性を良好にすることができる。特に、凹部１０２に非接触ＩＣカードを載置した際には、ＩＣカードリーダライタ１の上面１０１、即ち、媒体情報読取書込面１５０と非接触ＩＣカードとの間に隙間が形成されるので、非接触ＩＣカードの取扱性を良好にすることができる。
【００１６】
なお、前記実施形態では、非接触ＩＣカードを第１領域１３０あるいは第２領域１４０にかざしたり、載置することを前提に説明したが、これに限るものではない。例えば、第１領域１３０および第２領域１４０にまたがるように、ＩＣカードリーダライタ１へ非接触ＩＣカードを斜めにかざしたり載置したとしても、非接触ＩＣカードの一部分が媒体情報読取書込面１５０にかざされたり載置されていれば、アンテナ３０１を介して媒体情報の送受信、即ち、媒体情報の読み取りや書き込みが行えるようになっている。
【００１７】
表示部１０５は、液晶表示パネル３０４（図３参照）で構成されており、ＩＣカードリーダライタ１にかざされた、または載置された非接触ＩＣカードに記録された電子マネーや金銭的価値情報、ＩＣカードリーダライタ１が受け取った媒体情報等を表示するようになっている。ここでいう、金銭的価値情報とは、例えば、利用金額に応じて加算されていくポイントで代表されるように、現金と同様に扱うことができる情報を示している。
支持部２００は、ＩＣカードリーダライタ１の全般を制御する制御部や、各種の基板等を内蔵するとともに、その底面に脚部２０１が設けられている。また、支持部２００の背面には、通信回線や他の外部機器等と接続するための接続端子２０２が設けられている。
【００１８】
次に、図３を参照して、ＩＣカードリーダライタ１の内部構成について説明する。図３において、図３（ａ）は内部構成図、図３（ｂ）は内部レイアウト図である。
図３（ａ）において、ＩＣカードリーダライタ１は、メイン基板３００やアンテナ３０１、無線通信基板（以下、Ｒ／Ｆ基板という）３０２、ＬＥＤ３０３、液晶パネル３０４、スピーカー３０５、ＩＣモジュール３０６等が内部に設けられている。また、ＩＣモジュール３０６には、通信回路３４０ａ、３４０ｂが接続されている。
【００１９】
メイン基板３００は、ＩＣカードリーダライタ１全体の動作を総括的に制御する制御部３１１や、ＩＣカードリーダライタ１を動作させるドライバ回路３１２ａ、３１２ｂ、電源を供給する電源回路３１３等で構成され、図３（ｂ）で示すように、支持部２００の内部に配置されている。ここで、ドライバ回路３１２ｂには、ＰＯＳ端末や決済端末等の外部機器と接続するための接続回路３５０が接続されている。
【００２０】
Ｒ／Ｆ基板３０２は、アンテナ３０１を介して非接触ＩＣカードから読み取った媒体情報をＩＣモジュール３０６に送信したり、ＩＣモジュール３０６から送信されてきた媒体情報をアンテナ３０１に送信する機能を備え、図３（ｂ）で示すように、メイン基板３００の近傍でメイン基板３００と平行に配置されている。
ＬＥＤ３０３は、ＩＣカードリーダライタ１の動作状態を光で示すために設けられたものであり、４つのガイダンス部材１０４ａ、１０４ｂ、１０４ｃ、１０４ｄのそれぞれに対応するように、４つのＬＥＤがメイン基板３００に接続されている。また、メイン基板３００には、スピーカー３０５や外部接続端子２０２が接続されている。さらに、メイン基板３００には、表示部１０５を構成する液晶パネル３０４や、ＩＣカードリーダライタ１で使用することができるカードシステムを設定するＩＣモジュール３０６が、図示しない適宜な手段により接続されている。
【００２１】
電源回路３１３は、ＩＣカードリーダライタ１を動作させるための電源を供給するものであり、外部電源、例えば、ＡＣアダプター３３０から電力を得るようになっている。なお、電源回路３１３は、充電機能を備えており、外部電源と接続されていない状態でも、一定時間は電源を供給することができるようになっている。
【００２２】
次に、図３を基に、図４を参照して、本発明によるＩＣカードリーダライタを利用したシステムについて説明する。
図４において、ＩＣカードリーダライタ１は、外部接続端子２０２を介してＰＯＳ端末や決済端末等の外部機器４００と接続されるとともに、通信回線４１０やルーター４３０を介して決済サーバー４５０やアプリケーションサーバー４６０と接続された第１のシステムと、通信回線４２０とルーター４４０を介してＩＣカードリーダライタ１とアプリケーションサーバー４６０とを接続した第２のシステムとを備えた構成としている。
第１のシステムは、主に決済が伴う処理、例えば、クレジットカードにより決済処理を行うような場合に使用され、第２のシステムは、主に決済が伴わない処理、例えば、入退室管理や店舗におけるポイントカードサービス等の処理に使用される。
【００２３】
次に、第１のシステムと第２のシステムの使用例について、図４を基に、図５から図９を参照して説明する。
まず、第１のシステムについて、図５で示すように、ＰＯＳ端末５００とＩＣカードリーダライタ１とを接続し、電子マネー機能を備えたクレジットカード５２０を利用した場合の決済システムを例として説明する。ここで、図６から図８は、クレジットカード５２０のかざし方を示す図であり、図６（ａ）はクレジットカード５２０の横方向（長手方向）の一部を指先でつまむように保持した状態を示す正面図、図６（ｂ）は右側面図であり、図７（ａ）はクレジットカード５２０の横方向（長手方向）の両辺部を指先で握るように保持した状態を示す正面図、図７（ｂ）は右側面図であり、図８（ａ）はクレジットカード５２０の縦方向（短手方向）の一部を指先でつまむように保持した状態を示す正面図、図８（ｂ）は右側面図である。また、図９および図１０は、クレジットカード５２０の置き方を示す図であり、図９（ａ）はクレジットカード５２０の横方向（長手方向）が左右方向Ｙに沿って置かれた状態（以下、横置き状態という）を示す図、図９（ｂ）はクレジットカード５２０の縦方向（短手方向）が左右方向Ｙに沿って置かれた状態（以下、縦置き状態という）を示す図である。
【００２４】
図５において、利用者Ａが店舗等で商品の買い物を行い、代金を精算するためにレジカウンター５１０へ向かうと、店員ＢがＰＯＳ端末５００を操作して商品の代金を入力し、入力された金額情報がＩＣカードリーダライタ１に送信されるとともに、金額情報が表示部１０５に表示される。利用者Ａは、商品の代金を精算するため、図６から図８で示すような形態でクレジットカード５２０を保持し、第１の領域１３０あるいは第２の領域１４０を目印として、ＩＣカードリーダライタ１の上面１０１に設けられた媒体情報読取書込面１５０にクレジットカード５２０をかざすと、媒体情報、例えば、会員番号や電子マネーの残金等のクレジットカード情報を、アンテナ３０１を介して読み取るとともに、読み取ったクレジットカード情報をＲ／Ｆ基盤３０２を介してＩＣモジュール３０６に送信する。そして、ＩＣモジュール３０６は、受け取ったクレジットカード情報をドライブ回路３１２ａを介して制御部３１１へ送信する。
【００２５】
制御部３１１は、ＰＯＳ端末５００から送信された金額情報と、ＩＣモジュール３０６から送信された電子マネーの残金情報とを比較し、電子マネーの残金（残金情報）が精算金額（金額情報）よりも多い場合には、残金から精算金額を減額する処理を行い、ドライブ回路３１２ａを介して処理データをＩＣモジュール３０６に送信する。
ＩＣモジュール３０６は、受け取った処理データをＰＯＳ端末５００に送信し、ＰＯＳ端末５００は、受け取った処理データを通信回線４２０とルーター４３０を介して決済サーバー４６０に送信し、決済サーバー４６０にて代金の精算を行う。代金の精算が終了すると、決済サーバー４６０は通信回線４２０やＰＯＳ端末５００を介してＩＣモジュール３０６に精算情報を送信する。送信された精算情報はＲ／Ｆ基基板３０２を介してアンテナ３０１に送信され、精算情報、例えば、決済後の電子マネーの残金が表示部１０５へ表示されるとともに、クレジットカード５２０に電子マネーの残金が記録される。利用者Ａは、表示部１０５に表示された精算情報を確認し、ＩＣカードリーダライタ１からクレジットカード５２０を離すと、決済処理が終了する。
【００２６】
制御部３１１は、ＰＯＳ端末５００から送信された金額情報と、ＩＣモジュール３０６から送信された電子マネーの残金情報とを比較した時に、電子マネーの残金（残金情報）が精算金額（金額情報）よりも少ない場合には、表示部１０５に電子マネーが不足している旨を表示し、利用者Ａへ知らせるようにしている。この場合、利用者Ａは、クレジットカード５２０を、図９で示すように、縦置き状態または横置き状態でＩＣカードリーダライタ１の上面１０１に設けられた媒体情報読取書込面１５０に載置し、クレジットカード５２０に電子マネーを入金（チャージ）した後に、商品の代金を精算するようになっている。なお、電子マネーのチャージは、チャージする金額をＰＯＳ端末５００により入力し、入力された金額情報が通信回線４２０やルーター４４０を介してアプリケーションサーバー４６０、例えば、金融機関に送信される。金額情報を受け取ったアプリケーションサーバー（金融機関）４６０は、クレジットカード５１０にチャージする電子マネー情報を通信回線４２０とルーター４４０とを介して送信し、送信された電子マネー情報をＩＣカードリーダライタ１によりクレジットカード５１０に記録することで、電子マネーのチャージを行うようになっている。
【００２７】
前記実施形態では、電子マネーの残金が不足している場合のチャージについて説明したが、この実施形態に係るＩＣカードリーダライタ１は、電子マネーの残金に関係なく、媒体情報読取書込面１５０にクレジットカード５２０を最初から載置することにより、電子マネーのチャージを行うことができる。なお、電子マネーのチャージ方法については、前記実施形態と同一であるため、詳細な説明は省略する。
このように、本実施形態によるＩＣカードリーダライタ１は、決済端末としての機能に加え、電子マネーのチャージ機能も備えているので、１つの端末で決済や電子マネーのチャージを行うことができる使い勝手の良好なＩＣカードリーダライタ１とすることができる。
【００２８】
また、この実施形態によれば、第１の領域１３０あるいは第２の領域１４０を目印とし、媒体情報読取書込面１５０に非接触ＩＣカード（クレジットカード５２０）を載置することにより、４方向に隙間が形成されるので、非接触ＩＣカードのつかみやすさ、即ち、非接触ＩＣカードの保持性を良好にすることができる。加えて、非接触ＩＣカードと媒体情報読取書込面１５０との間にも隙間が形成されるので、ＩＣカードリーダライタ１に載置された非接触ＩＣカード５３０を取るときのたわみを吸収することができる。さらに、リーダライタ本体１００は、手前側（使用者側）にそり上がるように湾曲した形状であるので、ＩＣカードリーダライタ１に載置された非接触ＩＣカードを、使用者側にスライドさせながら取ることが可能となる。
【００２９】
次に、第２のシステムについて、入退室管理システムを例として説明する。図４において、通信回線４２０とルーター４４０とを介してアプリケーションサーバー４６０、例えば、入退室管理サーバーと接続され、扉の近傍に設置されたＩＣカードリーダライタ１に、個人認証情報が記録された非接触ＩＣカード（クレジットカード５２０）を、図６から図８で示すように保持した状態でかざすことにより、アンテナ３０１およびＲ／Ｆ基板３０２を介して個人情報をＩＣモジュール３０６に送信する。ＩＣモジュール３０６は、受信した個人認証情報を制御部３１１に送信し、制御部３１１で処理した認証結果を入退室管理サーバーに送信する。入退室管理サーバーは、受信した認証結果に基づいて扉の開閉情報を通信回線４２０とルーター４４０とを介して制御部３１１に送信し、制御部３１１は、受信した開閉情報に基づき、扉の開閉を制御するようになっている。
【００３０】
この実施形態によれば、カードリーダライタ本体１００の上面１０１の湾曲した部分に形成された第１の領域１３０あるいは第２の領域１４０を目印とし、媒体情報読取書込面１５０に非接触ＩＣカードをかざすことにより、リーダライタ本体１００の上面１０１（凹部１０２）と非接触ＩＣカードとの間に隙間が形成され、この隙間に指先が接触するように非接触ＩＣカードをかざすことができるので、リーダライタ本体の上面が平坦に形成された従来のＩＣカードリーダライタよりも近接した状態で、非接触ＩＣカードの読み取りあるいは書き込みの精度を向上させることが可能となる。
なお、第２のシステムにおいても、媒体情報読取書込面１５０に非接触ＩＣカードを載置するようにして、入退室管理システムを使用してもよい。
【００３１】
次に、図１０を参照して、カードリーダ本体と非接触ＩＣカードとの隙間について説明する。図１０において、図１０（ａ）は非接触ＩＣカードを載置した状態の断面図、図１０（ｂ）は拡大部分断面図、図１０（ｃ）は非接触ＩＣカードを握った状態を示す斜視図である。
リーダライタ本体１００は、湾曲した上面１０１と、この上面１０１に設けられた媒体情報読取書込面１５０とを備えている。この媒体情報読取書込面１５０に非接触ＩＣカード１７０を載置すると、非接触ＩＣカード１７０はその四隅が上面１０１と接触して保持されるとともに、非接触ＩＣカード１７０と媒体情報読取書込面１５０との間に隙間１６０が形成される。このような構成とすることにより、上面１０１で非接触ＩＣカード１７０がずれることなく保持することができる。しかも、非接触ＩＣカード１７０が、媒体情報読取書込面１５０を覆うため、媒体情報の読み取りや書き込みを確実に行うことができる。また、隙間１６０を介して非接触ＩＣカード１７０を載置したり、取り外したりすることができるので、非接触ＩＣカード１７０の取扱性を良好にすることができる。
【００３２】
（第２の実施形態）
次に、図１１を参照して、本発明によるＩＣカードリーダライタの第２の実施形態を説明する。この第２の実施形態では、携帯電話機やＰＤＡ等の携帯端末に内蔵した非接触ＩＣカードを介して、第１の実施形態で説明した各種の機能を実行することができるようになっている。この内蔵型の非接触ＩＣカードを利用した場合について、携帯電話機を例として説明する。
【００３３】
図１１はＩＣカードリーダライタの第２の実施形態を示す図であり、図１１（ａ）はＩＣカードリーダライタに携帯電話機を置いた状態を示す斜視図、図１１（ｂ）は携帯電話機を握った状態を示す図である。
図１１において、携帯電話機７００は、クレジット機能や入退室管理機能等を有する非接触ＩＣカードを内部に備えている。なお、携帯電話機７００の外観構造については、一般的な折りたたみタイプの携帯電話機とほぼ同様な構成であるため、詳細な説明は省略する。また、ＩＣカードリーダライタ１の構成についても、上述した第１の実施形態と同一であるため、詳細な説明は省略する。
【００３４】
この携帯電話機７００を、ＩＣカードリーダライタ１に設けられた媒体情報読取書込面１５０へ、かざしたり載置したりすることにより、第１の実施形態と同様、クレジット決済による買い物や入退室管理等、各種の機能を実行することができるようになっている。特に、携帯電話機７００をＩＣカードリーダライタ１においた場合には、携帯電話機７００の四隅がＩＣカードリーダライタの上面１０１と接触するため、各種の処理を実行中に携帯電話機７００が、ＩＣカードリーダライタ１の上面１０１からずれることを軽減できるので、各種機能を確実に実行することができる。加えて、携帯電話機７００を載置した状態では、４方向に隙間が形成されるので、携帯電話機７００の取扱性を良好にすることができる。
【００３５】
（その他の実施形態）
前記第１の実施形態および第２の実施形態では、入退室管理や電子マネーによるクレジット決済で使用する場合について説明したが、これに限定されることはない。例えば、本発明の実施形態に係るＩＣカードリーダライタ１は、店舗等で利用されるポイントカードシステムや学校で利用される学生証、コンサートホールや映画館で利用される電子チケット等、幅広い分野で使用することができる。
【図面の簡単な説明】
【００３６】
【図１】本発明に係るＩＣカードリーダライタの外観斜視図である。
【図２】本発明に係るＩＣカードリーダライタの外観六面図である。
【図３】本発明に係るＩＣカードリーダライタの内部構成図である。
【図４】本発明に係るＩＣカードリーダライタのシステム構成図である。
【図５】本発明に係るＩＣカードリーダライタの設置状態を示す図である。
【図６】本発明に係るＩＣカードリーダライタにＩＣカードをかざした状態の説明図である。
【図７】本発明に係るＩＣカードリーダライタにＩＣカードをかざした状態の説明図である。
【図８】本発明に係るＩＣカードリーダライタにＩＣカードをかざした状態の説明図である。
【図９】本発明に係るＩＣカードリーダライタにＩＣカードを置いた状態の説明図である。
【図１０】本発明に係るＩＣカードリーダライタにＩＣカードを置いた状態の説明図である。
【図１１】本発明に係るＩＣカードリーダライタに携帯電話機を置いた状態の説明図である。
【符号の説明】
【００３７】
１…ＩＣカードリーダライタ、１００…リーダライタ本体、１０１…上面、１０２…凹部、１０３…ラベル部、１０４…ガイダンス部、１０４ａ…ガイダンス部材、１０４ｂ…ガイダンス部材、１０４ｃ…ガイダンス部材、１０４ｄ…ガイダンス部材、１０５…表示部、１３０…第１領域、１４０…第２領域、１５０…媒体情報読取書込面、１６０…隙間、１７０…非接触ＩＣカード、２００…支持部、２０１…脚部、２０２…外部接続端子、３００…メイン基板、３０１…アンテナ、３０２…無線通信基板、３０３…ＬＥＤ、３０４…液晶パネル、３０５…スピーカー、３０６…ＩＣモジュール、３１１…制御部、３１２ａ…ドライバ回路、３１２ｂ…ドライバ回路、３１３…電源回路、３３０…ＡＣアダプター４００…外部機器、４１０…通信回線、４２０…通信回線、４３０…ルーター、４４０…ルーター４４０、４５０…決済サーバー、４６０…アプリケーションサーバー、５００…ＰＯＳ端末、５１０…レジカウンター、５２０…クレジットカード、７００…携帯電話機、Ａ…利用者、Ｂ…店員、Ｘ…前後方向、Ｙ…左右方向。
【図１】
2005285057.tif 000003
【図２】
2005285057.tif 000004
【図３】
2005285057.tif 000005
【図４】
2005285057.tif 000006
【図５】
2005285057.tif 000007
【図６】
2005285057.tif 000008
【図７】
2005285057.tif 000009
【図８】
2005285057.tif 000010
【図９】
2005285057.tif 000011
【図１０】
2005285057.tif 000012
【図１１】
2005285057.tif 000013